(57)【要約】      （修正有）【課題】ディスク形状物品を輸送するための容器及び方法を提供する。【解決手段】容器１００は、上部開口部１６０と、ディスク形状物品を受容し、ディスク形状物品の横方向の移動を制限するためのスロット１１１を間に画定する複数の仕切り１１０と、ディスク形状物品を支持し、ディスク形状物品の下方向の垂直移動を制限するためのパッドとを有するカセット１０２を備える。容器はまた、上部開口部上でカセットに連結可能であり、弾性的な可撓性フィン１１４を有する上部蓋１０６も備える。上部蓋がカセットに完全に連結され、ディスク形状物品がパッド上に支持され、かつ容器が収縮包装されていない場合、弾性的な可撓性フィンとディスク形状物品との間に非占有の間隙が画定される。上部蓋がカセットに完全に連結され、ディスク形状物品がパッド上に支持され、かつ容器が収縮包装されている場合、弾性的な可撓性フィンが、ディスク形状物品と接触する【選択図】図２
2020109018.tif 000002
【特許請求の範囲】
【請求項１】
ディスク形状物品を輸送するための容器であって、
上部開口部と、前記ディスク形状物品を受容し、前記ディスク形状物品の横方向の移動を制限するためのスロットを間に画定する複数の仕切りと、前記ディスク形状物品を支持し、前記ディスク形状物品の下方向の垂直移動を制限するためのパッドと、を有するカセットと、
前記上部開口部上で前記カセットに連結可能であり、弾性的な可撓性フィンを有する上部蓋と、を備え、
前記上部蓋が前記カセットに完全に連結され、前記ディスク形状物品が前記パッド上に支持され、かつ前記容器が収縮包装されていない場合、前記弾性的な可撓性フィンと前記ディスク形状物品との間に非占有の間隙が画定され、
前記上部蓋が前記カセットに完全に連結され、前記ディスク形状物品が前記パッド上に支持され、かつ前記容器が収縮包装されている場合、前記弾性的な可撓性フィンが、前記ディスク形状物品と接触し、前記ディスク形状物品に対して屈曲する、容器。
【請求項２】
前記弾性的な可撓性フィンが、前記カセット内に受容された前記ディスク形状物品の第１の側面と整列された第１の弾性的な可撓性フィンと、前記カセット内に受容された前記ディスク形状物品の前記第１の側面とは反対側の第２の側面と整列された第２の弾性的な可撓性フィンと、を有する、請求項１に記載の容器。
【請求項３】
前記上部蓋が前記カセットに連結されている場合、前記弾性的な可撓性フィンのそれぞれが、複数の前記スロットを横断する、請求項１に記載の容器。
【請求項４】
前記非占有の間隙が、０．２ｍｍ〜１．０ｍｍの厚みを有する、請求項１に記載の容器。
【請求項５】
前記カセットが、底部開口部を更に有し、
前記容器が、前記底部開口部の上で前記カセットに連結可能な底部蓋を更に有し、
前記上部蓋及び前記底部蓋が前記カセットに連結されている場合、前記底部蓋が前記上部蓋とインターロック可能である、請求項１に記載の容器。
【請求項６】
前記底部蓋が前記カセットに連結され、前記上部蓋が前記カセットに連結され、かつ前記底部蓋と前記上部蓋とがインターロックしている場合、前記上部蓋が前記カセットに完全に連結されている、請求項５に記載の容器。
【請求項７】
前記上部蓋が、垂直収容壁を更に有し、
前記上部蓋が前記カセットに完全に連結され、前記ディスク形状物品が前記パッド上に支持され、かつ前記容器が収縮包装されていない場合、前記垂直収容壁と前記ディスク形状物品との間に第２の非占有の間隙が画定され、
前記上部蓋が前記カセットに完全に連結され、前記ディスク形状物品が前記パッド上に支持され、かつ前記容器が収縮包装されている場合、前記垂直収容壁が、前記ディスク形状物品と接触する、請求項１に記載の容器。
【請求項８】
前記垂直収容壁が、前記カセット内に受容された前記ディスク形状物品の第１の側面と整列された第１の垂直収容壁と、前記カセット内に受容された前記ディスク形状物品の前記第１の側面とは反対側の第２の側面と整列された第２の垂直収容壁と、を有する、請求項７に記載の容器。
【請求項９】
前記上部蓋が前記カセットに連結されている場合、前記垂直収容壁のそれぞれが、複数の前記スロットを横断する、請求項７に記載の容器。
【請求項１０】
前記第２の非占有の間隙が、０．２ｍｍ〜１．０ｍｍの厚みを有する、請求項７に記載の容器。
【請求項１１】
前記上部蓋が、前記ディスク形状物品の横方向の移動を制限しない、請求項１に記載の容器。
【請求項１２】
ディスク形状物品を輸送するための方法であって、
カセットの中で、前記カセットの複数の仕切りの間に画定されたスロット内に、及び前記カセットのパッド上にディスク形状物品を配置することと、
前記ディスク形状物品が前記カセットの前記パッド上に配置されたときに、上部蓋の弾性的な可撓性のフィンのそれぞれと前記ディスク形状物品との間に間隙が画定されるように、前記カセットに前記上部蓋を完全に連結することと、
前記上部蓋が前記カセットに完全に連結されている状態で、前記カセット及び前記上部蓋を収縮包装材で収縮包装して前記間隙を低減し、前記上部蓋の前記弾性的な可撓性フィンを付勢して前記ディスク形状物品と接触させることと、を含む、方法。
【請求項１３】
前記カセット及び前記上部蓋を収縮包装することが、
前記カセット及び前記上部蓋を前記収縮包装材で包むことと、
前記収縮包装材内の圧力を少なくとも１０％〜１５％低下させることと、を含む、請求項１２に記載の方法。
【請求項１４】
前記カセットに前記上部蓋を完全に連結することは、前記ディスク形状物品が前記カセットの前記パッド上に配置されたときに、前記上部蓋の垂直収容壁のそれぞれと前記ディスク形状物品との間に第２の間隙が画定されるように、前記カセットに前記上部蓋を完全に連結することを更に含み、
前記カセット及び前記上部蓋を収縮包装することが、前記第２の間隙を低減し、前記垂直収容壁を付勢して前記ディスク形状物品と接触させる、請求項１２に記載の方法。
【請求項１５】
前記カセットに底部蓋を連結することと、
前記上部蓋と前記底部蓋とをインターロックすることと、を更に含み、
前記収縮包装することが、前記カセット、前記上部蓋、及び前記底部蓋を前記収縮包装材で収縮包装することを更に含む、請求項１２に記載の方法。
【請求項１６】
前記収縮包装材を前記カセット及び前記上部蓋から除去することと、
前記上部蓋を前記カセットから分離することと、
前記カセットとは異なるように構成されている第２のカセットの中で、前記第２のカセットの複数の第２の仕切りの間に画定された第２のスロット内に、及び前記第２のカセットの第２のパッド上に第２のディスク形状物品を配置することと、
前記第２のディスク形状物品が前記第２のカセットの前記第２のパッド上に配置されたときに、前記上部蓋の弾性的な可撓性のフィンのそれぞれと前記第２のディスク形状物品との間に第２の間隙が画定されるように、前記第２のカセットに前記上部蓋を完全に連結することと、
前記上部蓋が前記第２のカセットに完全に連結されている状態で、前記第２のカセット及び前記上部蓋を収縮包装材で収縮包装して前記第２の間隙を低減し、前記上部蓋の前記弾性的な可撓性フィンを付勢して前記第２のディスク形状物品と接触させることと、を更に含む、請求項１２に記載の方法。
【請求項１７】
少なくとも、
前記第２のスロットのサイズが、前記スロットのサイズとは異なるか、
又は、
前記第２のスロットの数が、前記スロットの数とは異なる、請求項１６に記載の方法。
【請求項１８】
ディスク形状物品を輸送するためのシステムであって、
上部開口部と、前記ディスク形状物品を受容し、前記ディスク形状物品の横方向の移動を制限するためのスロットを間に画定する複数の仕切りと、前記ディスク形状物品を支持し、前記ディスク形状物品の下方向の垂直移動を制限するためのパッドと、をそれぞれ有する複数のカセットと、
前記上部開口部上で前記複数のカセットのそれぞれに互換的に連結可能であり、弾性的な可撓性フィンを有する上部蓋と、を備え、
前記複数のカセットのそれぞれが、前記複数のカセットのうちの任意の他のカセットとは異なるように構成され、
前記上部蓋が前記複数のカセットのいずれか１つに完全に連結され、前記ディスク形状物品が前記パッド上に支持され、かつ前記容器が収縮包装されていない場合、前記弾性的な可撓性フィンと前記ディスク形状物品との間に非占有の間隙が画定され、
前記上部蓋が前記複数のカセットのいずれか１つに完全に連結され、前記ディスク形状物品が前記パッド上に支持され、かつ前記容器が収縮包装されている場合、前記弾性的な可撓性フィンが、前記ディスク形状物品と接触し、前記ディスク形状物品に対して屈曲する、システム。
【請求項１９】
少なくとも、
前記複数のカセットのうちのいずれか１つの前記スロットのサイズが、前記複数のカセットのうちの任意の他の前記スロットの前記サイズとは異なるか、
又は、
前記複数のカセットのうちのいずれか１つの前記スロットの総数が、前記複数のカセットのうちの任意の他の前記スロットの前記総数とは異なる、請求項１８に記載のシステム。
【請求項２０】
底部蓋を更に備え、
前記複数のカセットのそれぞれが、底部開口部を更に有し、
前記底部蓋が、前記底部開口部の上で前記複数のカセットのそれぞれに互換的に連結可能であり、
前記上部蓋及び前記底部蓋が前記複数のカセットのうち同じ１つのカセットに連結されている場合、前記底部蓋が、前記上部蓋とインターロック可能である、請求項１８に記載のシステム。
【発明の詳細な説明】
【技術分野】
【０００１】
（関連出願の相互参照）
本出願は、２０１９年１月５日に出願された米国仮特許出願の第６２／７８８，８２８号の優先権を主張し、これは、参照により本明細書に組み込まれる。
【０００２】
（発明の分野）
本出願は、概してディスク形状物品の製造に関し、より具体的には、容器内のディスク形状物品をある場所から別の場所に輸送することに関する。
【背景技術】
【０００３】
ハードディスクドライブに使用するハードディスクドライブ（hard disk drive、ＨＤＤ）媒体などのディスク形状物品は、多くの場合、ある場所で製造され、別の場所、時には離れた場所にあるハードディスクドライブなどのアセンブリに組み入れられる。したがって、ディスク形状物品は、多くの場合、ある場所から別の場所に輸送又は移送される。ＨＤＤ媒体を含む一部のディスク形状物品は、摩耗及び汚染を受けやすく、ディスク形状物品は、輸送のために耐磨耗性容器内に確実に保持されなければならない。しかし、異なる場所間での移送及び格納中に、ディスク形状物品を固定し、動かないようにし、かつ保護するように構成された従来の容器は、ディスク形状物品の摩耗及び汚染を依然として発生させる。
【発明の概要】
【０００４】
本出願の主題は、当該技術分野の現状に応じて、特に、ＨＤＤに媒体をインストールする前などに、ハードディスクドライブ（ＨＤＤ）媒体などのディスク形状物品の容器を格納及び輸送することに関連する問題及びニーズに対応して開発された。従来の容器は、異なる場所間での移送及び格納中に、ディスク形状物品を固定し、動かないようにし、かつ保護するように構成されていても、ディスク形状物品を摩耗及び汚染する傾向がある。上記を考慮して、本出願の主題は、移送及び格納中のディスク形状物品の摩耗及び汚染を低減することによって、先行技術の欠点の多くを克服する輸送容器を提供するために開発された。
【０００５】
ディスク形状物品を輸送するための容器が本明細書に開示される。容器は、カセットを備える。カセットは、上部開口部を有する。カセットはまた、ディスク形状物品を受容し、ディスク形状物品の横方向の移動を制限するためのスロットを画定する複数の仕切りを有する。カセットは、ディスク形状物品を支持し、ディスク形状物品の下方向の垂直移動を制限するためのパッドを更に有する。容器はまた、上部開口部上でカセットに連結可能であり、弾性的な可撓性フィンを有する上部蓋を備える。上部蓋がカセットに完全に連結され、ディスク形状物品がパッド上に支持され、かつ容器が収縮包装されていない場合、弾性的な可撓性フィンとディスク形状物品との間に非占有の間隙が画定される。上部蓋がカセットに完全に連結され、ディスク形状物品がパッド上に支持され、かつ容器が収縮包装されている場合、弾性的な可撓性フィンが、ディスク形状物品と接触し、これに対して屈曲する。本段落の前述の主題は、本開示の実施例１を特徴とする。
【０００６】
弾性的な可撓性フィンは、カセット内に受容されたディスク形状物品の第１の側面と整列された第１の弾性的な可撓性フィンと、カセット内に受容されたディスク形状物品の第１の側面とは反対側の第２の側面と整列された第２の弾性的な可撓性フィンとを有する。本段落の前述の主題は、本開示の実施例２を特徴とし、実施例２はまた、上記実施例１に記載の主題を含む。
【０００７】
上部蓋がカセットに連結されている場合、弾性的な可撓性フィンのそれぞれが、複数のスロットを横断する。本段落の前述の主題は、本開示の実施例３を特徴とし、実施例３はまた、上記実施例１〜２のいずれか１つに記載の主題を含む。
【０００８】
非占有の間隙は、０．２ｍｍ〜１．０ｍｍの厚みを有する。本段落の前述の主題は、本開示の実施例４を特徴とし、実施例４はまた、上記実施例１〜３のいずれか１つに記載の主題を含む。
【０００９】
カセットは、底部開口部を更に有する。容器は、底部開口部の上でカセットに連結可能な底部蓋を更に有する。上部蓋及び底部蓋がカセットに連結されている場合、底部蓋は上部蓋とインターロック可能である。本段落の前述の主題は、本開示の実施例５を特徴とし、実施例５はまた、上記実施例１〜４のいずれか１つに記載の主題も含む。
【００１０】
底部蓋がカセットに連結され、上部蓋がカセットに連結され、かつ底部蓋と上部蓋とがインターロックしている場合、上部蓋はカセットに完全に連結される。本段落の前述の主題は、本開示の実施例６を特徴とし、実施例６はまた、上記実施例５に記載の主題を含む。
【００１１】
上部蓋は、垂直収容壁を更に有する。上部蓋がカセットに完全に連結され、ディスク形状物品がパッド上に支持され、かつ容器が収縮包装されていない場合、垂直収容壁とディスク形状物品との間に第２の非占有の間隙が画定される。上部蓋がカセットに完全に連結され、ディスク形状物品がパッド上に支持され、かつ容器が収縮包装されている場合、垂直収容壁は、ディスク形状物品と接触する。本段落の前述の主題は、本開示の実施例７を特徴とし、実施例７はまた、上記実施例１〜６のいずれか１つに記載の主題を含む。
【００１２】
垂直収容壁は、カセット内に受容されたディスク形状物品の第１の側面と整列された第１の垂直収容壁と、カセット内に受容されたディスク形状物品の第１の側面とは反対側の第２の側面と整列された第２の垂直収容壁とを有する。本段落の前述の主題は、本開示の実施例８を特徴とし、実施例８はまた、上記実施例７に記載の主題を含む。
【００１３】
上部蓋がカセットに連結されている場合、垂直収容壁のそれぞれが複数のスロットを横断する。本段落の前述の主題は、本開示の実施例９を特徴とし、実施例９はまた、上記実施例７〜８のいずれか１つに記載の主題を含む。
【００１４】
第２の非占有の間隙は、０．２ｍｍ〜１．０ｍｍの厚みを有する。本段落の前述の主題は、本開示の実施例１０を特徴とし、実施例１０はまた、上記実施例７〜９のいずれか１つに記載の主題を含む。
【００１５】
上部蓋は、ディスク形状物品の横方向の移動を制限しない。本段落の前述の主題は、本開示の実施例１１を特徴とし、実施例１１はまた、上記実施例１〜１０のいずれか１つに記載の主題を含む。
【００１６】
ディスク形状物品を輸送するための方法が本明細書に開示される。本方法は、カセットの中で、カセットの複数の仕切り間に画定されたスロット内に、及びカセットのパッド上にディスク形状物品を配置することを含む。本方法は、ディスク形状物品がカセットのパッド上に配置されたときに、上部蓋の弾性的な可撓性のフィンのそれぞれとディスク形状物品との間に間隙が画定されるように、カセットに上部蓋を完全に連結することも含む。本方法は、上部蓋がカセットに完全に連結されている状態で、カセット及び上部蓋を収縮包装材で収縮させて間隙を低減し、上部蓋の弾性的な可撓性フィンを付勢してディスク形状物品と接触させることを更に含む。本段落の前述の主題は、本開示の実施例１２を特徴とする。
【００１７】
カセットと上部蓋を収縮包装することは、収縮包装材でカセットと上部蓋を包むことと、収縮包装材内の圧力を少なくとも１０％〜１５％低下させることを含む。本段落の前述の主題は、本開示の実施例１３を特徴とし、実施例１３はまた、上記実施例１２に記載の主題を含む。
【００１８】
カセットに上部蓋を完全に連結することは、ディスク形状物品がカセットのパッド上に配置されたときに、上部蓋の垂直収容壁のそれぞれとディスク形状物品との間に第２の間隙が画定されるように、カセットに上部蓋を完全に連結することを更に含む。カセット及び上部蓋を収縮包装することは、第２の間隙を低減し、垂直収容壁を付勢してディスク形状物品と接触させるようにすることを含む。本段落の前述の主題は、本開示の実施例１４を特徴とし、実施例１４はまた、上記実施例１２〜１３のいずれか１つに記載の主題を含む。
【００１９】
本方法は、カセットに底部蓋を連結することと、上部蓋及び底部蓋をインターロックすることと、を更に含む。収縮包装することは、カセット、上部蓋及び底部蓋を収縮包装材で収縮包装することを更に含む。本段落の前述の主題は、本開示の実施例１５を特徴とし、実施例１５はまた、上記実施例１２〜１４のいずれか１つに記載の主題を含む。
【００２０】
本方法は、カセット及び上部蓋から収縮包装材を除去することを更に含む。本方法はまた、上部蓋をカセットから分離することを含む。本方法は、加えて、上部蓋をカセットから分離することを含む。本方法はまた、第２のカセットの中で、第２のカセットの複数の第２の仕切りの間に画定された第２のスロット内に、及び第２のカセットの第２のパッド上に第２のディスク形状物品を配置することを含み、第２のカセットは、カセットとは異なるように構成されている。本方法は、第２のディスク形状物品が第２のカセットの第２のパッド上に配置されたときに、上部蓋の弾性的な可撓性のフィンのそれぞれと第２のディスク形状物品との間に第２の間隙が画定されるように、第２のカセットに上部蓋を完全に連結することを更に含む。本方法は、加えて、上部蓋が第２のカセットに完全に連結されている状態で、第２のカセット及び上部蓋を収縮包装材で収縮させて第２の間隙を低減し、上部蓋の弾性的な可撓性フィンを付勢して第２のディスク形状物品と接触させることを含む。本段落の前述の主題は、本開示の実施例１６を特徴とし、実施例１６はまた、上記実施例１２〜１５のいずれか１つに記載の主題を含む。
【００２１】
第２のスロットのサイズの少なくとも１つは、スロットのサイズと異なり、又は第２のスロットの数はスロットの数と異なる。本段落の前述の主題は、本開示の実施例１７を特徴とし、実施例１７はまた、上記実施例１６に記載の主題を含む。
【００２２】
加えて、ディスク形状物品を輸送するためのシステムが本明細書に記載される。システムは、複数のカセットを備え、複数のカセットは、上部開口部と、ディスク形状物品を受容し、ディスク形状物品の横方向の移動を制限するためのスロットを間に画定する複数の仕切りと、ディスク形状物品を支持し、ディスク形状物品の下方向の垂直移動を制限するためのパッドとをそれぞれ有する。複数のカセットのそれぞれは、複数のカセットのうちの任意の他のカセットとは異なるように構成されている。本システムはまた、上部開口部上で複数のカセットのそれぞれに互換的に連結可能であり、弾性的な可撓性フィンを有する上部蓋を備える。上部蓋が複数のカセットのいずれか１つに完全に連結され、ディスク形状物品がパッド上に支持され、かつ容器が収縮包装されていない場合、弾性的な可撓性フィンとディスク形状物品との間に非占有の間隙が画定される。上部蓋が複数のカセットのいずれか１つに完全に連結され、ディスク形状物品がパッド上に支持され、かつ容器が収縮包装されている場合、弾性的な可撓性フィンが、ディスク形状物品と接触し、これに対して屈曲する。本段落の前述の主題は、本開示の実施例１８を特徴とする。
【００２３】
少なくとも、（ｉ）複数のカセットのうちのいずれか１つのスロットのサイズが、複数のカセットのうちの任意の他のスロットのサイズとは異なるか、又は、（ｉｉ）複数のカセットのうちのいずれか１つのスロットの総数が、複数のカセットのうちの任意の他のスロットの総数と異なる。本段落の前述の主題は、本開示の実施例１９を特徴とし、実施例１９はまた、上記実施例１８に記載の主題を含む。
【００２４】
システムは、底部蓋を更に有する。複数のカセットのそれぞれは、底部開口部を更に有する。底部蓋は、底部開口部の上で複数のカセットのそれぞれに互換的に連結可能である。上部蓋及び底部蓋が複数のカセットのうちの同じ１つのカセットに連結されている場合、底部蓋は、上部蓋とインターロック可能である。本段落の前述の主題は、本開示の実施例２０を特徴とし、実施例２０はまた、上記実施例１８〜１９のいずれか１つに記載の主題を含む。
【００２５】
本開示の主題の記載された特徴、構造、利点、及び／又は特性は、１つ以上の実施形態及び／又は実装において任意の好適な方法で組み合わせることができる。以下の記載において、本開示の主題の実施形態の完全な理解を与えるために、数多くの具体的な詳細が提供される。当業者は、本開示の主題が、特定の実施形態又は実装の特定の特徴、詳細、構成要素、材料、及び／又は方法のうちの１つ以上を伴わずに実施され得ることを認識するであろう。他の例では、全ての実施形態又は実装において存在しない可能性がある特定の実施形態及び／又は実装において、追加の特徴及び利点が認識され得る。更に、いくつかの例では、周知の構造、材料、又は動作は、本開示の主題の態様を不明瞭にすることを避けるために、詳細には示されていないか、又は記載されていない。本開示の主題の特徴及び利点は、以下の記載及び添付の番号付けされた段落からより完全に明らかとなるか、又は以下に記載されるような主題の実施によって習得され得る。
【図面の簡単な説明】
【００２６】
主題の利点がより容易に理解され得るように、添付の図面に示されている特定の実施形態を参照することにより、上記で簡潔に記載された主題のより具体的な記載が行われる。これらの図面は主題の典型的な実施形態のみを示しており、したがってその範囲を限定するものとして見なされるべきではないと理解した上で、添付図面の使用を通じて、付加的な特殊性及び詳細を伴って、本主題は記載され説明される。
【００２７】
【図１】本開示の１つ以上の実施例による、ハードディスクドライブ（ＨＤＤ）媒体を輸送するための容器の斜視図である。
【００２８】
【図２】本開示の１つ以上の実施例による、図１の容器の分解斜視図である。
【００２９】
【図３】本開示の１つ以上の実施例による、図１の線３−３に沿った、図１の容器の側面断面図である。
【００３０】
【図４】本開示の１つ以上の実施例による、図１の線４−４に沿った、図１の容器の正面断面図である。
【００３１】
【図５】本開示の１つ以上の実施例による、容器内に格納されたＨＤＤ媒体と共に示されている、図１の線３−３に沿った図１の容器の側面断面図である。
【００３２】
【図６】本開示の１つ以上の実施例による、容器内に格納されたＨＤＤ媒体と共に示され、収縮包装材によって収縮包装された、図１の線３−３と同様の線に沿った、図１の容器の側面断面図である。
【００３３】
【図７】本開示の１つ以上の実施例による、ＨＤＤ媒体を輸送する方法の概略フローチャートである。
【００３４】
【図８】本開示の１つ以上の実施例による、ＨＤＤ媒体を輸送するためのシステムの斜視図である。
【発明を実施するための形態】
【００３５】
本明細書の全体を通して、「一実施形態（one embodiment）」、「実施形態（an embodiment）」、又はそれに類似した言葉の参照は、本実施形態に関連して記載される特定の特徴、構造、又は特性が、本開示の少なくとも１つの実施形態に含まれることを意味する。本明細書の全体を通して、「一実施形態では（in one embodiment）」、「一実施形態では（in an embodiment）」、及びそれに類似した言葉の語句の表記は、必ずしも全て同一の実施形態を参照するのではない。同様に、用語「実装」の使用は、本開示の１つ以上の実施形態に関連して記載された特定の特徴、構造、又は特性を有する実装を意味するが、そうでなければ、別の意味を示すための明示的な相関がない場合、実装は１つ以上の実施形態に関連付けられてもよい。
【００３６】
本開示の主題の実施形態は、ハードディスクドライブ（ＨＤＤ）媒体、光ディスク、ウェハ、基板などのディスク形状物品に適用可能である。記載を簡単にするために、本開示の実施例は、ＨＤＤ媒体に関して記載されているが、他のディスク形状物品にも等しく適用可能である。換言すれば、特に断りがない限り、ＨＤＤ媒体への言及は、他のディスク形状物品と置き換えることができる。
【００３７】
図１及び図２を参照すると、いくつかの実施例による、ハードディスクドライブ（ＨＤＤ）媒体を輸送するための容器１００が本明細書に開示される。本明細書で使用される場合、ＨＤＤ媒体１０８は、１つのディスク若しくは媒体、又は複数のディスク若しくは媒体であり得る。一般に、ＨＤＤ媒体１０８の各ディスクは円形ディスクであり、円形ディスクは、円形状の外周又は縁部を有する薄いウェハ状構造として定義される。容器１００は、異なる場所間での移送及び格納中に、複数のＨＤＤ媒体（例えば、ディスク）を固定し、動かないようにし、及び保護するように構成されている。特定の実施態様では、ＨＤＤ媒体は、ある設備で製造され、離れた場所にある設備でＨＤＤに組み入れられる。容器１００は、ＨＤＤ媒体がある設備から別の設備に輸送される（すなわち移送される）際に、ＨＤＤ媒体を格納及び保護するのに役立つ。図７を参照すると、容器１００内にＨＤＤ媒体が設置された後、容器１００は、容器１００によるＨＤＤ媒体の確実な収容を促進するために収縮包装される。いくつかの実施例では、ＨＤＤ媒体は、磁気記憶ディスクである。
【００３８】
容器１００は、カセット１０２（又は本体）と、カセット１０２に取り外し可能に連結可能な上部蓋１０６とを有する。上部蓋１０６は、カセット１０２に取り外し可能に連結されると、カセット１０２の上部開口部１６０及び開放端部１５２を覆う。いくつかの実施例では、容器１００は、カセット１０２に取り外し可能に連結可能な底部蓋１０４を更に有する。底部蓋１０４は、カセット１０２に取り外し可能に連結されると、カセット１０２の底部開口部１６２を覆う。上部蓋１０６及び底部蓋１０４は、容器１００の取り扱い及び輸送を支援する機構などの容器１００の機能に関連する様々な機構のいずれかを有していてもよい。
【００３９】
上部蓋１０６は、第１のインターロック機構１４２を有し、底部蓋１０４は第２のインターロック機構１４４を有する。上部蓋１０６の第１のインターロック機構１４２のそれぞれは、底部蓋１０４の第２のインターロック機構１４４の対応する１つとインターロックするように構成されている。上部蓋１０６及び底部蓋１０４をカセット１０２に連結し、第１のインターロック機構１４２及び第２のインターロック機構１４４を連結することにより、上部蓋１０６と底部蓋１０４との間にカセット１０２を固定する。いくつかの実施態様では、第１のインターロック機構１４２及び第２のインターロック機構１４４をインターロックすることにより、上部蓋１０６及び底部蓋１０４は、上部蓋１０６と底部蓋１０４との間にカセット１０２を効果的にクランプ又は挟持する。第１のインターロック機構１４２及び第２のインターロック機構１４４は、クリップ、バックル、戻り止めなどの様々なインターロック連結器のいずれかを有することができる。いくつかの実施例では、底部蓋１０４はカセット１０２に一体化されて、カセット１０２と一体型で、連続的かつモノリシックな構造を形成する。
【００４０】
カセット１０２は、第１の側壁１２２と、第２の側壁１２４と、第１の側壁１２２と第２の側壁１２４との間に画定された媒体格納空間１２０とを有する。第１の側壁１２２は、第２の側壁１２４の反対側にあり、第２の側壁１２４を鏡映する。第１の側壁１２２及び第２の側壁１２４は、媒体格納空間１２０が、ＨＤＤ媒体１０８に対応する断面形状を有するように成形される（例えば、図５を参照）。媒体格納空間１２０の断面形状は、ＨＤＤ媒体１０８の湾曲を補完するためにカセット１０２の底部において実質的に湾曲している。媒体格納空間１２０の最大水平寸法は、ＨＤＤ媒体１０８がカセット１０２内に収まることができるように、ＨＤＤ媒体１０８の直径よりも大きい。
【００４１】
図２〜図４を参照すると、カセット１０２は、第１の側壁１２２及び第２の側壁１２４のそれぞれから媒体格納空間１２０内に突出する仕切り１１０を更に有する。第１の側壁１２２上の全ての仕切り１１０に対して、第２の側壁１２４上に対応する仕切り１１０があり、第２の側壁１２４上の対応する仕切り１１０は、媒体格納空間１２０を横切って、第１の側壁１２２上の仕切り１１０と整列される。仕切り１１０は、カセット１０２の上部開口部１６０に近接する位置から、カセット１０２の上部開口部１６０と底部開口部１６２との間の中間位置まで垂直に延在する。第１の側壁１２２及び第２の側壁１２４のそれぞれの仕切り１１０は、カセット１０２の長さに沿って、ＨＤＤ媒体１０８のそれぞれの幅に対応する距離だけ、隣接する仕切り１１０から離間している。その上、仕切り１１０は、第１の側壁１２２及び第２の側壁１２４上の対向する仕切り１１０の間の距離をＨＤＤ媒体１０８の直径よりも小さくするために、媒体格納空間１２０内に十分に突出する。したがって、隣接する仕切り１１０の間の空間に、ＨＤＤ媒体１０８が挿入され、横方向に保持され得るスロット１１１を画定する。換言すれば、スロット１１１を画定する仕切り１１０は、スロット１１１内に挿入されたＨＤＤ媒体１０８の横方向の移動（例えば、カセット１０２の長さに平行な移動）を制限する（例えば、防止する）ための停止部として作用する。カセット１０２の複数の仕切り１１０は、カセット１０２が複数のＨＤＤ媒体１０８を同時に受容し保持することができるように、カセット１０２の長さに沿って複数のスロット１１１を画定する。
【００４２】
カセット１０２は、第１の側壁１２２及び第２の側壁１２４から媒体格納空間１２０内に突出するパッド１１２を追加的に有する。パッド１１２のそれぞれは、対応するスロット１１１と垂直に整列され、カセット１０２の仕切り１１０と底部開口部１６２との間に位置する。パッド１１２は、媒体格納空間１２０内でＨＤＤ媒体１０８を受容し、直接支持するように構成されている。パッド１１２のそれぞれは、ＨＤＤ媒体１０８の外周の湾曲を補完する湾曲を有する凹面を有する。パッド１１２は、第１の側壁１２２及び第２の側壁１２４と共に形成され、それらと同じ材料で作製されてもよい。あるいは、パッド１１２は、別個に形成され、第１の側壁１２２及び第２の側壁１２４の内面に取り付けられ、第１の側壁１２２及び第２の側壁１２４とは異なる（例えば、より軟質の）材料で作製されてもよい。パッド１１２は、カセット１０２内に収容されたときに、ＨＤＤ媒体１０８の下方向の垂直移動を制限するのに役立つ。いくつかの実施例では、第１の側壁１２２及び第２の側壁１２４のそれぞれは、スロット１１１の対応する１つとそれぞれ整列された複数のパッド１１２を有する。しかしながら、他の実施例では、第１の側壁１２２及び第２の側壁１２４のそれぞれは、カセット１０２に沿って長手方向に延在して複数のスロット１１１を横断する単一のパッド１１２を有する。
【００４３】
上述のように、カセット１０２の上部は開いており、媒体格納空間１２０内のカセット１０２のそれぞれのスロット１１１内へのＨＤＤ媒体１０８の挿入が可能となる。ＨＤＤ媒体１０８がカセット１０２内に挿入された後、カセット１０２の上部開口部１６０は、容器１００の上部蓋１０６で閉じられる。いくつかの実施例では、上部蓋１０６は、容器１００のフォームファクタを低減するために、ＨＤＤ媒体１０８の形状を補完するように成形される。
【００４４】
容器１００を収縮包装する前に（以下により詳細に記載されるように）、及び上部蓋１０６がカセット１０２の上部に完全に連結された状態で、ＨＤＤ媒体１０８がスロット１１１内のパッド１１２上で支持されているときに、上部蓋１０６のどの部分もＨＤＤ媒体１０８と接触することができない。例えば、いくつかの従来の輸送容器とは対照的に、上部蓋１０６は、上部蓋１０６がカセット１０２に連結されたときにＨＤＤ媒体１０８の横方向の動きを制限するための、媒体格納空間１２０に突出する歯を含まない。換言すれば、上部蓋１０６は、ＨＤＤ媒体１０８の横方向の移動を制限しない。このような歯は、ＨＤＤ媒体と接触すると、容器１００が取り扱われて輸送される際に、ＨＤＤ媒体１０８上に摩耗を引き起こし、粒子を生成する可能性がある。その上、本発明者らは、仕切り１１０がＨＤＤ媒体１０８の横方向の動きを適切に制限できるので、ＨＤＤ媒体１０８の横方向の動きを制限するために上部蓋１０６に歯を形成することが必要ないことを観察した。
【００４５】
加えて、図８を参照して以下で説明するように、歯がない場合、上部蓋１０６は、異なる量のＨＤＤ媒体１０８又は異なるサイズのＨＤＤ媒体１０８（例えば、異なる厚さを有するＨＤＤ媒体１０８）を格納するようにそれぞれ構成された複数のカセット１０２と互換的に使用することができる。いくつかの例では、９７×０．６３５ｍｍのディスクを格納するカセット１０２と、９７×１．２７ｍｍのディスクを格納するカセット１０２で同じ上部蓋１０６を使用できる。更に、上述のように、歯がないことにより、媒体の摩耗及び粒子の発生の原因となる蓋と媒体との接触を減らすことができる。
【００４６】
いくつかの例によれば、上部蓋１０６がカセット１０２の上部に完全に連結されると、カセット１０２の最上縁部１５４は、上部蓋１０６のカセット係合凹部１５６の対応する下方向の係合面から０．４０ｍｍ超離れる（例えば、図３を参照）。いくつかの実施例では、上部蓋１０６がカセット１０２に連結され、底部蓋１０４がカセット１０２に連結され、上部蓋１０６及び底部蓋１０４とがインターロックしている場合、上部蓋１０６がカセット１０２の上部に完全に連結される。別の実施形態では、上部蓋１０６の材料は、粒子の生成を更に低減するために、従来使用されているポリプロピレンではなくポリカーボネートであってもよい。
【００４７】
カセット１０２内に収容されたとき、及び容器１００が収縮包装された後に、ＨＤＤ媒体１０８の上方向の垂直移動の制限を補助するために、上部蓋１０６はフィン１１４を有する。フィン１１４は、フィン１１４の高さＨに等しい距離で、上部蓋１０６から媒体格納空間１２０内に突出する。フィン１１４は、ＨＤＤ媒体１０８の両側と整列されるように、上部蓋１０６の両側に配置される。フィン１１４は、フィン１１４の付勢力よりも大きな圧力が加えられた状態でフィン１１４が弾力的に屈曲可能なように、細長く及び断面が比較的薄い。その上、フィン１１４のそれぞれは、フィン１１４に最も近い第１の側壁１２２及び第２の側壁１２４のうちの対応する一方に向かって垂直から少なくともわずかに傾斜している。フィン１１４のこのような角度付けにより、以下に記載されるように、ＨＤＤ媒体１０８が接触すると、フィン１１４が第１の側壁１２２及び第２の側壁１２４の対応する一方に向かって外向きに撓むことが可能になる。
【００４８】
図５を参照すると、上部蓋１０６がカセット１０２と完全に連結され、ＨＤＤ媒体１０８がパッド１１２上で支持された後、容器１００が収縮包装される前に、フィン１１４の高さＨは、フィン１１４とＨＤＤ媒体１０８との間に非占有の間隙Ｇ１又は空間が画定されるようになる。一例では、各フィン１１４の高さＨは約３．５ｍｍである。したがって、容器１００が収縮包装される前に、フィン１１４は、上部蓋１０６がカセット１０２に連結される前、最中、又は後に、パッド１１２上に支持されたＨＤＤ媒体１０８と接触しない。そのような構成は、上部蓋１０６がカセット１０２に連結されるか、又は分離される間など、輸送又は取り扱いのためにＨＤＤ媒体１０８の保持が必要とされない時間の間、上部蓋１０６のフィン１１４とＨＤＤ媒体１０８との間の摩耗を排除するのに役立つ。
【００４９】
いくつかの実施例では、上部蓋１０６は、カセット１０２内に収容されている場合、及び容器１００が収縮包装された後に、ＨＤＤ媒体１０８の上方向の垂直移動を更に制限するのを補助する垂直収容壁１３０を追加的に有する。垂直収容壁１３０は、ＨＤＤ媒体１０８の両側と整列されるように、上部蓋１０６の両側に配置される。垂直収容壁１３０は、上部蓋１０６に沿って長さ方向に延在する。したがって、垂直収容壁１３０のそれぞれは、上部蓋１０６がカセット１０２に連結されたときにカセット１０２の複数のスロット１１１を横断する。その上、各垂直収容壁１３０は、媒体格納空間１２０に面する垂直収容面１３２を有する。いくつかの実施例では、各垂直収容面１３２は、ＨＤＤ媒体１０８との単一の接触点を確保するのを補助するために平坦である。他の実施例では、各垂直収容面１３２は、ＨＤＤ媒体１０８の外縁部の輪郭又は湾曲と一致するように輪郭付け又は湾曲している。このように、垂直収容壁１３０及び垂直収容面１３２は、それらが垂直に配向されているからではなく、ＨＤＤ媒体１０８の上方向への垂直移動を制限するので、このように呼称されている。むしろ、垂直収容壁１３０は、容器１００が水平面上に支持されるとき、水平面に対して角度を付けられている。
【００５０】
上部蓋１０６がカセット１０２に連結されている状態で、垂直収容面１３２は、ＨＤＤ媒体１０８の中心から距離ｒに配置される。図５を参照すると、上部蓋１０６がカセット１０２と完全に連結され、ＨＤＤ媒体１０８がパッド１１２上で支持された後、容器１００が収縮包装される前に、距離ｒはＨＤＤ媒体１０８の半径よりも大きく、その結果、垂直収容面１３２とＨＤＤ媒体１０８との間に未充填の間隙Ｇ２又はスペースが画定される（例えば、図５を参照）。特定の一例では、間隙Ｇ２は約０．２ｍｍ〜１．０ｍｍである。したがって、容器１００が収縮包装される前、垂直収容壁１３０の垂直収容面１３２は、上部蓋１０６がカセット１０２に連結される前、最中、又は後に、パッド１１２上に支持されたＨＤＤ媒体１０８と接触しない。そのような構成は、上部蓋１０６がカセット１０２に連結されるか、又は分離される間など、輸送又は取り扱いのためにＨＤＤ媒体１０８の保持が必要とされない時間の間、上部蓋１０６の垂直収容壁１３０とＨＤＤ媒体１０８との間の摩耗を排除するのに役立つ。
【００５１】
図６を参照すると、上部蓋１０６がカセット１０２に連結された後、かつ輸送前に、ＨＤＤ媒体１０８が保持された容器１００全体は、収縮包装又は真空袋詰め法を使用して真空封止される。容器１００を収縮包装することは、収縮包装材又は袋を容器１００の周囲に巻き付けることと、収縮包装材又は袋内の圧力を（例えば、真空ポンプを使用して）排気して、材料又は袋を容器１００に対して緊密に封止することを含む。このように容器１００の周囲を収縮包装材で封止することにより、容器１００に圧縮力Ｐを加えることによって容器１００を圧縮し、底部蓋１０４及び上部蓋１０６をカセット１０２に対して付勢して、より緊密に成形する。容器１００の圧縮は、輸送のために、底部蓋１０４及び上部蓋１０６をカセット１０２に安定させる又は移動不能に固定するのに役立つ。収縮包装材又は収縮フィルムは、ポリマープラスチックで作製される。いくつかの実施態様では、収縮包装材は、収縮包装材内の圧力の排出ではなく、熱を与えることによって容器１００の周りを収縮包装する。
【００５２】
容器１００を収縮包装により圧縮することにより、上部蓋１０６がＨＤＤ媒体１０８に近づき、間隙Ｇ１が低減し、フィン１１４を付勢してＨＤＤ媒体１０８の周辺縁部とを接触させる。１つの特定の実施例では、間隙Ｇ１は、約０．２ｍｍ〜約１．０ｍｍであり、容器１００を収縮包装すると、上部蓋１０６をＨＤＤ媒体１０８に近接して０．２ｍｍ〜１．０ｍｍ以上移動させ、その結果、間隙Ｇ１はゼロに低減し、フィン１１４はＨＤＤ媒体１０８に対して屈曲する。上述のように、ＨＤＤ媒体１０８との接触により、フィン１１４が弾性的に屈曲し、ＨＤＤ媒体１０８に付勢力を加える。付勢力は、容器１００の輸送及び取り扱い中に容器１００内に収容されたＨＤＤ媒体１０８の上方向への垂直移動を制限するのに役立つ。このようにして、フィン１１４は、必要な場合にのみＨＤＤ媒体１０８と接触し、これは、取り扱われ、容器１００によって輸送されるＨＤＤ媒体１０８の摩耗を低減するのに役立つ。上部蓋１０６は、いくつかの例では、カセット１０２の対応する側の仕切り１１０によって画定された全てのスロットにわたる又は横断する、上部蓋１０６の各側に１つの連続フィン１１４を有する。他の例では、上部蓋１０６は、上部蓋１０６の各側に複数のフィン１１４を有し、各フィン１１４は、仕切り１１０によって画定されるスロットの対応する１つと整列するように配置される。
【００５３】
更に、容器１００を収縮包装により圧縮することにより、ＨＤＤ媒体１０８の中心からの距離ｒが低減し、間隙Ｇ２が低減し、垂直収容壁１３０の垂直収容面１３２を付勢して、ＨＤＤ媒体１０８の周辺縁部と接触させる。特定の一実施例では、距離ｒは、間隙Ｇ２が約０．２ｍｍ〜約１．０ｍｍになるように、ＨＤＤ媒体１０８の半径よりも約０．２ｍｍ〜約１．０ｍｍだけ大きく、容器１００を収縮包装することにより、垂直格納壁１３０を、０．２ｍｍ〜１．０ｍｍ以上移動させて、ＨＤＤ媒体１０８に近づけ、その結果、距離ｒはＨＤＤ媒体１０８の半径以下となり、間隙Ｇ２はゼロまで低減する。垂直収容面１３２とＨＤＤ媒体１０８の周辺縁部との間の接触は、容器１００の輸送及び取り扱い中に容器１００内に収容されたＨＤＤ媒体１０８の上方向への垂直移動を制限するのに役立つ。垂直収容壁１３０は、必要な場合にのみＨＤＤ媒体１０８と接触するため、取り扱われ、容器１００によって輸送されるＨＤＤ媒体１０８の摩耗が低減される。弾性的な可撓性フィン１１４は、垂直収容面１３２がＨＤＤ媒体１０８の周辺縁部と接触する位置とは異なる位置（例えば、離間した位置）で、ＨＤＤ媒体１０８の周辺縁部と接触する。上部蓋１０６によってＨＤＤ媒体１０８の各側面上に複数の接触点を提供することは、ＨＤＤ媒体１０８の各側に単一の接触点を有するよりも垂直にＨＤＤ媒体１０８を固定するのに役立つ。
【００５４】
図７を参照すると、一実施例によれば、ＨＤＤ媒体１０８を輸送する方法２００が開示される。方法２００は、カセット１０２の複数の仕切り１１０とカセット１０２のパッド１１２との間に画定されたスロット１１１内のカセット１０２にＨＤＤ媒体１０８を配置することを含む（ブロック２０２）。方法２００は、ＨＤＤ媒体１０８がカセット１０２のパッド１１２上に配置される場合に、上部蓋１０６をカセット１０２に完全に連結して、上部蓋１０６の弾性的な可撓性フィン１１４のそれぞれとＨＤＤ媒体１０８との間に間隙Ｇ１（例えば、第１の間隙）が画定されるようにすることも含む（ブロック２０４）。方法２００は、上部蓋１０６がカセット１０２に完全に連結された状態で、カセット１０２及び上部蓋１０６を収縮包装材１６４で収縮包装して、上部蓋１０６の弾性的な可撓性フィン１１４とＨＤＤ媒体１０８との間の間隙を低減し、上部蓋１０６の弾性的な可撓性フィン１１４を付勢して、ＨＤＤ媒体１０８と接触させることを追加的に含む（ブロック２０６）。
【００５５】
いくつかの例では、カセット１０２及び上部蓋１０６は、収縮包装材１６４でカセット１０２及び上部蓋１０６を包み、収縮包装材１６４内の圧力を少なくとも１０％〜１５％低下させることによって、収縮包装される。方法２００の特定の例によれば、上部蓋１０６をカセット１０２に完全に連結することは、ＨＤＤ媒体１０８がカセット１０２のパッド１１２上に配置されたときに、上部蓋１０６の垂直収容壁１３０のそれぞれとＨＤＤ媒体１０８との間に第２の間隙Ｇ２が画定されるように、上部蓋１０６をカセットに完全に連結することを更に含む。カセット１０２及び上部蓋１０６を収縮包装することにより、第２の間隙Ｇ２が低減し、垂直収容壁１３０を付勢して、ＨＤＤ媒体１０８と接触させる。
【００５６】
特定の実施例によれば、方法２００は、カセット１０２に底部蓋１０４を連結し、上部蓋１０６及び底部蓋１０４をインターロックすることを含む。方法２００の収縮包装は、カセット１０２、上部蓋１０６及び底部蓋１０４を収縮包装材１６４で収縮包装することを更に含む。
【００５７】
図８を参照すると、ＨＤＤ媒体１０８を輸送するためのシステム１０１の例が開示されている。システム１０１は、第１のカセット１０２Ａ、第２のカセット１０２Ｂ及び第３のカセット１０２Ｃを含む複数のカセットを備える。第１のカセット１０２Ａ、第２のカセット１０２Ｂ及び第３のカセット１０２Ｃのそれぞれは、カセット１０２の特徴と概ね類似する特徴を有する。しかしながら、第１のカセット１０２Ａ、第２のカセット１０２Ｂ及び第３のカセット１０２Ｃは、より詳細に記載されるように、互いに異なる構成である。
【００５８】
システム１０１にも、上部蓋１０６及び底部蓋１０４が含まれる。上部蓋１０６は、第１のカセット１０２Ａ、第２のカセット１０２Ｂ及び第３のカセット１０２Ｃのそれぞれに対して互換的に連結可能であるので、第１のカセット１０２Ａ、第２のカセット１０２Ｂ及び第３のカセット１０２Ｃに対応する上部開口部１６０をカバーする。同様に、底部蓋１０４は、第１のカセット１０２Ａ、第２のカセット１０２Ｂ及び第３のカセット１０２Ｃのそれぞれに対して互換的に連結可能であるので、第１のカセット１０２Ａ、第２のカセット１０２Ｂ及び第３のカセット１０２Ｃに対応する底部開口部１６２をカバーする。システム１０１の複数のカセットの最上縁部１５４のサイズ及び形状は同じであり、これにより、上部蓋１０６のカセット係合凹部１５６は、複数のカセットのそれぞれへの連結に適合することができる。同様に、システム１０１の複数のカセットの最底縁部は、底部蓋１０４が複数のカセットのそれぞれへの連結に適合することを可能にするために同じであり得る。
【００５９】
上部蓋１０６は、歯などの横方向移動制限機構を含まないため、上部蓋１０６は、様々なＨＤＤ媒体１０８の収容構成のいずれかを有する様々なカセットのうちのいずれかと共に使用することができる。より具体的には、上部蓋１０６は横方向移動制限機構を含まないため、横方向移動制限機構の空間配置と不適合である方法でカセット内に空間的に構成されたＨＤＤ媒体１０８を妨害するような横方向移動制限機構は存在しない。したがって、ＨＤＤ媒体１０８は、様々な構成のうちのいずれかで空間的に構成することができ、更に上部蓋１０６の使用に適合することができる。ＨＤＤ媒体１０８の空間構成は、システム１０１の複数のカセットのそれぞれごとに異なる。
【００６０】
ＨＤＤ媒体１０８の異なる空間構成は、異なるカセット内のスロット１１１の異なる構成によって影響される。例えば、システム１０１の１つのカセットのスロット１１１は、システム１０１の別のカセットとは異なるサイズを有することによって、異なるように構成され得る。別の例として、システム１０１の１つのカセットのスロット１１１は、システム１０１の別のカセットとは異なる数のスロット１１１（例えば、更に離間している）を有することによって、異なるように構成することができる。図８を参照すると、一実施例では、第１のカセット１０２Ａのスロット１１１Ａは、第２のカセット１０２Ｂのスロット１１１Ｂと同じサイズ（例えば、同じ幅であり、一例では、０．６３５ｍｍ）を有しているが（同じサイズのＨＤＤ媒体１０８を収容するため）、第２のカセット１０２Ｂのスロット１１１Ｂよりも互いに近接して離間配置されている（１つの容器内により多くのＨＤＤ媒体１０８を収容するため）。したがって、第１のカセット１０２Ａは、第２のカセット１０２Ｂ（例えば、２５個）よりも多くのスロット１１１Ａ（例えば、５０個）を有する。再び図８を参照すると、一例では、第３のカセット１０２Ｃのスロット１１１Ｃは、第１のカセット１０２Ａのスロット１１１Ａよりも広い（１．２７ｍｍ幅のＨＤＤ媒体などの異なるサイズのＨＤＤ媒体１０８を収容するために）。スロット１１１Ｃのサイズはスロット１１１Ａよりも広いため、いくつかの例では、第３のカセット１０２Ｃも、第１のカセット１０２Ａよりも少ないスロットを有する。システム１０１は、それぞれ異なるスロット構成を有する任意の数の異なる構成のカセットを有することができる。
【００６１】
上記の記載では、「上（up）」、「下（down）」、「上部（upper）」、「下部（lower）」、「水平（horizontal）」、「垂直（vertical）」、「左（left）」、「右（right）」、「上に（over）」、「下に（under）」などの特定の用語が使用されてもよい。これらの用語は、該当する場合、相対関係に対処する際に記載を明確にするために使用される。しかし、これらの用語は、絶対関係、位置、及び／又は向きを意味することを意図するものではない。例えば、物体に関しては、「上部（upper）」表面は、単にその物体を裏返すだけで「下部（lower）」表面になり得る。それでもなお、同じ物体である。更に、「含む（including）」、「備える（comprising）」、「有する（having）」という用語及びそれらの変形は、特に明示しない限り、「〜を有するが、限定されない」ことを意味する。列挙された項目の一覧は、特に明示しない限り、それらの項目のいずれか又は全てを相互に排他する及び／又は相互に含めることを暗に意味するものではない。「ａ」、「ａｎ」、及び「ｔｈｅ」はまた、特に明示しない限り、「１つ以上」を表す。更に、用語「複数」は、「少なくとも２つ」として定義され得る。その上、特に明記しない限り、本明細書で定義されるように、複数の特定の特徴は、特定の特徴のセット又はクラス全体の全ての特定の特徴を必ずしも意味するものではない。
【００６２】
加えて、１つの要素が別の要素に「連結」される本明細書における事例は、直接的及び間接的な連結を含むことができる。直接的連結は、別の要素に連結され、別の要素と何らかの接触している１つの要素として定義することができる。間接的連結は、互いに直接接触はしないが、連結された要素間に１つ以上の追加の要素を有する、２つの要素間の連結として定義することができる。更に、本明細書で使用される、１つの要素を別の要素に固定することは、直接的固定及び間接的固定を含むことができる。加えて、本明細書で使用される、「隣接する」は、必ずしも接触を示すものではない。例えば、１つの要素は、その要素と接触することなく、別の要素に隣接していてもよい。
【００６３】
本明細書で使用される、語句「のうちの少なくとも１つ」は、項目のリストと共に使用される場合、リストされた項目のうちの１つ以上の異なる組み合わせが使用されてもよく、リスト内の項目のうちの１つのみが必要とされる場合があることを意味する。項目は、特定の物体、物事、又はカテゴリであってもよい。換言すれば、「のうちの少なくとも１つ」とは、項目又は項目の数の任意の組み合わせがリストから使用されてもよいが、リスト内の項目の全てが必要とされない場合があることを意味する。例えば、「項目Ａ、項目Ｂ及び項目Ｃのうちの少なくとも１つ」とは、項目Ａ；項目Ａ及び項目Ｂ；項目Ｂ；項目Ａ、項目Ｂ及び項目Ｃ；又は項目Ｂ及び項目Ｃを意味し得る。一部の場合には、「項目Ａ、項目Ｂ及び項目Ｃのうちの少なくとも１つ」は、例えば、これらに限定されないが、項目Ａのうちの２つ、項目Ｂのうちの１つ及び項目Ｃのうちの１０個；項目Ｂのうちの４つ及び項目Ｃのうちの７つ；又はいくつかの他の好適な組み合わせを意味し得る。
【００６４】
別途記載のない限り、「第１の」、「第２の」、などの用語は、本明細書では単にラベルとして使用され、これらの用語が参照する項目に順序、位置、又は階層的要件を課すことを意図するものではない。その上、例えば、「第２の」項目への言及は、例えば、「第１の」若しくはより低い番号の項目、及び／又は、例えば、「第３」若しくはより高い番号の項目の存在を必要とせず、又は排除しない。
【００６５】
本明細書で使用される、特定の機能を実行するように「構成されている」システム、装置、構造体、物品、要素、構成要素、又はハードウェアは、更なる修正後に特定された機能を実行する可能性を単に有するだけではなく、いかなる修正も行わずに、特定の機能を実際に実行することが可能である。換言すれば、特定の機能を実行するように「構成されている」システム、装置、構造体、物品、要素、構成要素、又はハードウェアは、特定の機能を実行する目的で特別に選択、作成、実装、利用、プログラム、及び／又は設計される。本明細書で使用される、「構成されている」は、システム、装置、構造体、物品、要素、構成要素、又はハードウェアの既存の特性を示し、システム、装置、構造、物品、要素、構成要素、又はハードウェアが、更なる修正なしに特定の機能を実行することを可能にする。本開示の目的のために、特定の機能を実行するように「構成されている」と記載されているシステム、装置、構造体、物品、要素、構成要素、又はハードウェアを追加的に又は代替として「適合される」及び／又はその機能を実行するよう「作動する」と記載することができる。
【００６６】
本明細書に含まれる概略フローチャート図は、概して、論理フローチャート図として記載される。したがって、描写された順序及びラベル付けされた工程は、提示される方法の一実施形態を示す。他の工程及び方法として、機能、論理、又は効果の点で、示された方法の１つ以上の工程、又はその部分と同等なものを着想してもよい。加えて、採用されるフォーマット及び記号は、方法の論理的工程を説明するために提供され、本方法の範囲を限定するものではないと理解される。様々な矢印のタイプ及び線のタイプがフローチャートで用いられ得るが、それらは対応する方法の範囲を限定しないものとして理解される。実際に、いくつかの矢印又は他のコネクタを使用して、方法の論理フローのみを示すことができる。例えば、矢印は、図示された方法の列挙された工程間の不特定の継続時間の待ち又は監視期間を示してもよい。加えて、特定の方法が行われる順序は、示される対応する工程の順序を厳密に順守してもよく、又は厳密に順守しなくてもよい。
【００６７】
本主題は、その趣旨又は本質的な特性から逸脱することなく他の特定の形態で具現化されてもよい。説明された実施形態は、あらゆる点で、例示的であり、かつ制限的でないものと考慮されるべきである。特許請求の範囲の意味及び均等物の範囲内に収まる全ての変更は、それらの範囲に包含されるべきである。
【図１】
2020109018.tif 000003
【図２】
2020109018.tif 000004
【図３】
2020109018.tif 000005
【図４】
2020109018.tif 000006
【図５】
2020109018.tif 000007
【図６】
2020109018.tif 000008
【図７】
2020109018.tif 000009
【図８】
2020109018.tif 000010
【外国語明細書】
2020109018000001.pdf